(57)【要約】【課題】２つのウエブの重なり代を小さくし得るウエブの継ぎ装置、継ぎシステムおよび継ぎ方法を提供する。【解決手段】巻き出しているウエブＷ１の後端Ｗｂをカッタ１２により切断させ、一方のウエブＷ２の先端部Ｗｆに粘着した粘着テープＴと他方のウエブＷ２の後端部Ｗｂとを、それぞれ、各吸着部１３，２３に吸着保持させ、前記ウエブＷ１の後端部Ｗｂに前記粘着テープＴを介して別のウエブＷ２の先端部Ｗｆを接ぐために、前記吸着保持した状態で、移動装置により前記一対の吸着部１３，２３を互いに接近させることを特徴とする。【選択図】　　　図２
2004076221.tif 000002
【特許請求の範囲】
【請求項１】
第１原反の第１ウエブを吸着して保持した状態で回転すると共に所定の位置で前記第１ウエブを放すことが可能な第１吸着部と、
前記第１ウエブを切断することが可能な第１カッタと、
第２原反の第２ウエブを吸着して保持した状態で回転すると共に所定の位置で前記第２ウエブを放すことが可能な第２吸着部と、
前記第２ウエブを切断することが可能な第２カッタと、
前記第１吸着部と第２吸着部とが離間した状態から、これらの吸着部を互いに接近させる移動装置と、
制御手段とを備え、ここにおいて、前記制御手段は、
巻き出しているウエブを前記カッタにより切断させ、
前記カッタにより切断されたウエブの後端部と、別のウエブの先端部に粘着した粘着テープとを、それぞれ、前記各吸着部に吸着保持させ、
前記ウエブの後端部に前記粘着テープを介して前記別のウエブの先端部を接ぐために、前記各吸着部の吸着保持状態において、前記移動装置により前記一対の吸着部を互いに接近させるウエブの継ぎ装置。
【請求項２】
ウエブを蓄えるアキュームレータと、
第１原反から第１ウエブを巻き出して前記アキュームレータに供給する第１供給装置と、
第２原反から第２ウエブを巻き出して前記アキュームレータに供給する第２供給装置と、
前記アキュームレータからウエブを下流に繰り出している間に、前記第１原反と第２原反とを継ぎ換えるための継ぎ装置と、
前記アキュームレータおよび継ぎ装置の動作を制御する制御手段とを備えた継ぎシステムであって、
前記継ぎ装置は、
前記第１ウエブを吸着して保持した状態で回転すると共に所定の位置で前記第１ウエブを放すことが可能な第１吸着部と、
前記第１ウエブを切断することが可能な第１カッタと、
前記第２ウエブを吸着して保持した状態で回転すると共に所定の位置で前記第２ウエブを放すことが可能な第２吸着部と、
前記第２ウエブを切断することが可能な第２カッタと、
前記第１吸着部と第２吸着部とが離間した状態から、これらの吸着部を互いに接近させる移動装置とを備え、
前記制御手段は、
巻き出している第１ウエブを前記カッタにより切断させ、
前記カッタにより切断された第１ウエブの後端部と、第２ウエブの先端部に粘着した粘着テープとを、それぞれ、前記各吸着部に吸着保持させ、
前記第１ウエブの後端部に前記粘着テープを介して前記第２ウエブの先端部を接ぐために、前記各吸着部の吸着保持状態において、前記移動装置により前記一対の吸着部を互いに接近させるウエブの継ぎシステム。
【請求項３】
請求項１または２の継ぎ装置と、一方の面が粘着面で、かつ、他方の面が非粘着面である粘着テープを用いたウエブの継ぎ方法であって、
一方のウエブの先端部から粘着テープがウエブの繰出方向に突出した状態となるように、当該一方のウエブの先端部に前記粘着テープの粘着面の一部を貼り付ける工程、
前記一方のウエブの少なくとも前記粘着テープの非粘着面を吸着部に吸着させて保持させる工程、
他方のウエブの後端を切断する工程、
他方のウエブの後端部を別の吸着部に吸着させて保持させる工程、
前記２つの吸着部を互いに接近させて前記粘着テープの突出した粘着面に前記他方のウエブの後端部を重ね合わせることで、前記粘着テープの粘着面に前記一方のウエブの先端部と他方のウエブの後端部とを粘着させて、前記一方のウエブの先端部に他方のウエブの後端部を接ぐウエブの継ぎ方法。
【発明の詳細な説明】
【０００１】
【発明の属する技術分野】
本発明は、ウエブの継ぎ装置、継ぎシステムおよび継ぎ方法に関するものである。
【０００２】
【従来の技術および課題】
従来より、ウエブを接ぐ方法としては、図７の先行のウエブＷに粘着テープＴを介して後続のウエブＷを重ね合わせて接いでいる（たとえば、Ｕ．Ｓ．Ｐ．４，１０６，９７４参照）。しかし、かかる重ね合わせ接合では、接合部分の重なり代が大きくなるのは避けられない。前記重なり代は、後の工程において切断しにくく、また、粘着テープＴに粘着していないウエブＷの部分Ｗａは、ウエブの連続搬送中に張力が働かず、不規則な挙動をするので、後の工程においてカッタなどに巻き付くという不具合の生じる原因となる。
【０００３】
したがって、本発明の目的は、２つのウエブの重なり代を小さくし得るウエブの継ぎ装置、継ぎシステムおよび継ぎ方法を提供することである。
【０００４】
前記目的を達成するために、本発明のあるウエブの継ぎ装置は、第１原反の第１ウエブを吸着して保持した状態で回転すると共に所定の位置で前記第１ウエブを放すことが可能な第１吸着部と、前記所定の位置よりも上流において前記第１ウエブを切断することが可能な第１カッタと、第２原反の第２ウエブを吸着して保持した状態で回転すると共に所定の位置で前記第２ウエブを放すことが可能な第２吸着部と、前記所定の位置よりも上流において前記第２ウエブを切断することが可能な第２カッタと、前記第１吸着部と第２吸着部とが離間した状態から、これらの吸着部を互いに接近させる移動装置と、制御手段とを備え、ここにおいて、前記制御手段は、巻き出しているウエブを前記カッタにより切断させ、前記カッタにより切断されたウエブの後端部と、別のウエブの先端部に粘着した粘着テープとを、それぞれ、前記各吸着部に吸着保持させ、前記ウエブの後端部に前記粘着テープを介して前記別のウエブの先端部を接ぐために、前記各吸着部の吸着保持状態において、前記移動装置により前記一対の吸着部を互いに接近させる。
【０００５】
前記装置において、先行して搬送されている第１ウエブの後端部に第２ウエブの先端部を接ぐ好適な方法の一例について説明する。ウエブを接ぐ際には、予め、第２ウエブの先端部に粘着テープを貼り付けると共に、前記粘着テープを第２吸着部に吸着させて保持する。一方、予め、下流のアキュームレータに所定量以上の第１ウエブを貯留し、アキュームレータから下流に第１ウエブを繰り出すと共にアキュームレータへの第１ウエブの供給を停止する。
【０００６】
この状態で、先行の第１ウエブの後端を切断すると共に、当該第１ウエブの後端部を第１吸着部に吸着させて保持する。前記２つの吸着部が吸着保持を行っている状態で、前記一対の吸着部を互いに接近させて、前記粘着テープの表面に第１ウエブを重ね合わせる。これにより、第１ウエブの後端部と粘着テープの前半部とが重なり、一方、粘着テープの後半部と第２をウエブの先端部とが重なり、かつ、前記第１および第２ウエブが互いに重ならない近接状態が得られる。
【０００７】
本発明において、各吸着部は外周面に多数の吸引孔を有するバキュームロールであってもよいし、吸着機能を有するコンベヤであってもよい。
本発明においては、２つの吸着部を互いに接近させる方法としては、２つの吸着部のうち少なくとも一方を移動させて、一方の吸着部を他方の吸着部に押し付ければよく、第１吸着部のみ、第２吸着部のみ、または、両吸着部を移動させてもよい。
【０００８】
本発明においては、ウエブの後端を切断した後に、当該切断した近傍の後端部を吸着部で吸着してもよいし、あるいは、後端部に相当するウエブの部分を予め吸着した状態でウエブを切断してもよい。
ウエブのカットエンドが所定の位置となるようにするには、切断した後端をセンサで検出してもよいし、あるいは、カッタローラに設けたカッタによりバキュームロールの上の一定の位置においてウエブを切断してもよい。
【０００９】
本発明においては、粘着テープの一方の面（粘着面）に第１および第２ウエブがそれぞれ重なっており、かつ、前記第１ウエブと第２ウエブとが互いに重なっていない状態とすることができる。前記粘着テープを介して互いに接合された第１ウエブの後端部と第２ウエブの先端部との間には、隙間が生じてもよい。
【００１０】
本発明により接合されるウエブは、たとえば、使い捨てオムツ、使い捨てパンツや生理用品の原反や半製品であってもよい。
【００１１】
【発明の実施の形態】
以下、本発明の一実施形態を図面にしたがって説明する。
全体構成：
図１に示す継ぎシステムは、第１供給装置１の第１原反１０から巻き出された第１ウエブＷ１と、第２供給装置２の第２原反２０から巻き出された第２ウエブＷ２とを接続し、何れか一方のウエブＷを交互に搬送するものである。本システムは、前記第１原反１０の回転および停止を行う第１駆動部１１、第２原反２０の回転および停止を行う第２駆動部２１、継ぎ装置３およびアキュームレータ４を備えている。
前記第１および第２駆動部１１，２１は、それぞれ独立したモータにより、動力が供給されてもよいし、１つのモータをクラッチ等により切り換えて動力が供給されてもよい。
【００１２】
継ぎ装置３：
前記継ぎ装置３は、後述するアキュームレータ４がウエブＷを下流に繰り出している間に、第１原反１０と第２原反２０とを継ぎ換えるための装置であり、前記供給装置１，２の下流に設けられている。前記継ぎ装置３は、第１および第２カッタ１２，２２、第１および第２吸着部１３，２３、および移動装置３０などを備えている。
【００１３】
前記吸着部１３，２３は、後述するように、各原反１０，２０からのウエブＷの面を吸着して保持した状態で回転することが可能である。前記各カッタ１２，２２は、前記各吸着部１３，２３の上流に、それぞれ設けられている。後述するように、カッタ１２，２２は、所定のタイミングでウエブＷの後端を切断する。前記カッタ１２は、熱、ソニックまたはレーザ等で構成されていてもよいし、刃物からなるカッタがウエブＷに向って突出し、ウエブＷが切断されてもよい。
なお、カッタ１２は、吸着部１３に設けられていてもよい。この場合、カッタ１２は吸引孔１３ａを除く吸着部１３においてウエブＷを切断してもよい。また、カッタ１２が吸着部１３と共に移動するように配置されていてもよい。カッタ２２は、カッタ１２と同様に対応する吸着部２３に設けられる構成であってもよい。
【００１４】
図２（ａ）に示すように、前記吸着部１３，２３は、たとえばバキュームローラであってもよい。前記吸着部１３，２３の周囲には、多数の吸引孔１３ａ，２３ａが設けられていてもよい。前記吸引孔１３ａ，２３ａは、図示しないバキュームに接続されており、ウエブＷや後述する粘着テープＴを吸着して保持することが可能である。前記吸引孔１３ａ，２３ａは吸引領域Ａ１において吸引による負圧が働いて吸着部１３，２３がウエブＷ１，Ｗ２を吸着し、一方、非吸引領域Ａ２においては吸引しないで、所定の位置Ｏにおいて吸着部１３，２３がウエブＷ１，Ｗ２を放す。したがって、前記吸着部１３，２３は、ウエブＷや粘着テープＴを吸着保持した状態で搬送することができる。
【００１５】
図１に示す前記第１および第２吸着部１３，２３は、それぞれ、第１および第２クラッチ１４，２４を介してモータＭにより回転駆動されてもよい。前記クラッチ１４，２４により、吸着部１３，２３のうち、一方の吸着部１３（２３）がモータＭからの動力が伝達されて回転する場合には、他方の吸着部２３（１３）は動力の伝達が停止され、空回りするように設定されていてもよい。
【００１６】
たとえば、前記クラッチ１４，２４は、前記モータＭからの回転を一定の方向にのみ伝達するフリーホィールのようなワンウエイクラッチであってもよい。かかるフリーホィールを用いた場合、継ぎ動作の際に、前記吸着部１３，２３は以下のような動作を行ってもよい。
【００１７】
前記モータＭを時計回りに回転させると、時計回りのみに動力を伝達する第１クラッチ１４を介して、第１吸着部１３が時計回りに回転する（図２（ａ））。この際、反時計回りのみに動力を伝達する第２クラッチ２４は空転し、該第２クラッチ２４からは第２吸着部２３にモータＭの動力が伝達されない。
【００１８】
前記モータＭを反時計回りに逆回転させると、前記第１クラッチ１４は空転し、該第１クラッチ１４からは第１吸着部１３にモータＭの動力が伝達されない。この際、前記第２クラッチ２４を介して第２吸着部２３が反時計回りに回転する（図２（ｃ））。
【００１９】
なお、後述するように、ウエブＷの接合を行う際には、各吸着部１３，２３は、他方の吸着部２３，１３の回転力が前記ウエブＷおよび粘着テープＴを介して伝達され、互いに逆方向に同期回転する。
【００２０】
吸着部１３，２３には、移動装置３０が接続されており、該吸着部１３，２３をそれぞれ移動させてもよい。この移動により、図２（ａ）に示す吸着部１３，２３は、互いに離間した定常状態から、図２（ｃ）に示すように、ウエブＷおよびテープＴを介して互いに圧接した継ぎ状態に遷移することが可能である。図１の前記移動装置３０は、前記モータＭによって駆動されてもよいし、前記モータＭとは別の動力を用いてもよい。
【００２１】
前記継ぎ装置３には、図２（ｂ）に示すように、前記各吸着部１３，２３上におけるウエブＷの前端Ｗｆおよび後端Ｗｅの検出を行うセンサＳが設けられていてもよい。該センサＳとしては、たとえば、光センサを用いてもよい。
【００２２】
アキュームレータ４：
図１のアキュームレータ４は、いわゆるダンサローラで構成されていてもよい。前記アキュームレータ４は、前記ウエブＷを受け取る受取部４１と、複数本の第１ローラ４３と、複数本の第２ローラ４２との間にウエブＷが交互に蛇腹状に掛け渡されており、図示しないフレームを介して互いに連結された第２ローラ４２が上下に昇降することによってウエブＷに所定のテンションが与えられてもよい。たとえば、アキュームレータ４における前記ウエブＷの供給量が排出量よりも多いと、第２ローラ４２は第１ローラ４３から離れる方向に移動してもよい。一方、前記ウエブＷの供給量が排出量よりも少ないと、第２ローラ４２は第１ローラ４３に近づく方向に移動してもよい。
【００２３】
一方、前記第２ローラ４２の上流には、ウエブＷの挟持および開放を行うニップロール４５，４５が設けられている。したがって、前記ニップロール４５，４５により、ウエブＷが挟持されウエブＷの上流の流れ速度が０になっても、アキュームレータ４に蓄えられたウエブＷが下流に繰り出される。
【００２４】
制御手段３５：
本継ぎシステムは、前述の各部の制御を行う制御手段３５を備えている。前記制御手段３５は、たとえば、前記各部に図示しないインターフェイスを介して接続されたマイコン（マイクロコンピュータ）で構成されていてもよい。制御手段３５は、後述するように、前記駆動部１１，２１、カッタ１２，２２、吸着部１３，２３の吸引孔１３ａ，２３ａ、クラッチ１４，２４、モータＭおよびニップロール４５などの動作の制御などを行う。一方、制御手段３５は、前記センサＳからの前記入力情報に基づいて、吸着部１３，２３の回転角の制御を行ってもよい。
【００２５】
継ぎ方法：
以下、継ぎ方法の一例について説明する。
前述のように、本装置は、ウエブＷ１，Ｗ２同士を互いに接続し、いずれか一方のウエブＷを交互に搬送するが、まず、第１ウエブＷ１に第２ウエブＷ２を接続する場合について説明する。
【００２６】
通常、前記アキュームレータ４は、前記第１ウエブＷ１（または第２ウエブＷ２）を蓄えることができる最大値と最小値との間の平均蓄積量となるように、ウエブＷを蓄えていてもよい。ウエブＷの供給量の変動を吸収するためである。ウエブＷ１，Ｗ２を接ぐ場合には、予め、制御手段３５は、前記第１駆動部１１の回転速度を増大させて、前記平均蓄積量以上の所定量のウエブＷをアキュームレータ４に蓄えてもよい。
【００２７】
一方、図２（ａ）の第２ウエブＷ２が粘着テープＴを介して第２吸着部２３にセットされる。前記第２ウエブＷ２のセットは、第１ウエブＷ１のカット前に行われてもよいし、第１ウエブＷ１のカット後に行われてもよい。
【００２８】
前記第２ウエブＷ２のセットの際には、前記第２吸着部２３に、少なくとも粘着テープＴが吸着される。粘着テープＴの粘着面には、前記粘着テープＴの吸着後に第２ウエブＷ２が貼り付けられてもよいし、あるいは、前記粘着テープＴの吸着前に第２ウエブＷ２が貼り付けられてもよい。ここで、前記粘着テープＴは、一方の面が粘着面で、かつ、他方の面が非粘着面である粘着テープからなり、該非粘着面が第２吸着部２３に吸着されてもよい。
【００２９】
かかる第２吸着部２３への第２ウエブＷ２および粘着テープＴのセットは、作業者により行われてもよい。すなわち、作業者が前記粘着テープＴの粘着面に第１ウエブＷ１の先端部Ｗｆを貼り付けた後（第２ウエブＷ２の貼着工程）、第２吸着部２３に該粘着テープＴの非粘着面を吸着させてもよい（第２ウエブＷ２の保持工程）。
【００３０】
前記第２ウエブＷ２の先端部ＷｆのエッジＷｅは、センサＳで検出され、ウエブの接合後に、第１ウエブＷ１の後端部Ｗｂと第２ウエブＷ２の先端部Ｗｆとが重ならないように、予め位置が設定される。粘着テープＴは、第２ウエブＷ２の先端部Ｗｆから第２ウエブＷ２の繰り出し方向（下流方向）に突出部Ｔａが突出した状態で、第２吸着部２３に吸着される。前記突出部Ｔａにおいては、粘着テープＴの粘着面が露出している。
なお、前記第２ウエブの貼着工程および保持工程は、作業者が行う代わりに、機械により行われてもよい。
【００３１】
その後、図１の前記制御手段３５は、前記ニップロール４５，４５に第１ウエブＷ１を挟持させると共に、前記第１駆動部１１を停止させて、アキュームレータ４への第１ウエブＷ１の供給を停止する。
前記停止後、図２（ａ）に示すように、巻き出された第１ウエブＷ１を、前記第１カッタ１２が切断した後（切断工程）、該第１ウエブＷ１の後端部Ｗｂを前記第１吸着部１３に吸着させる（第１ウエブＷ１の保持工程）。なお、ウエブＷを切断する直前に、吸着部１３，２３の吸着を開始してもよい。
【００３２】
前記切断後、制御手段３５がモータＭ（図１）を時計まわりに回転させることにより、第１吸着部１３が時計回りに回転される。この回転により、図２（ｂ）に示すように、予め決められた位置まで第１ウエブＷ１の後端部ＷｂのエッジＷｅが移動されると、センサＳからの入力情報に基づいて、第１吸着部１３の回転が一旦停止される。
【００３３】
前記回転後、図２（ｃ）に示すように、前記移動装置３０（図１）が両吸着部１３，２３を互いに離間した二点鎖線で示す定常状態から、吸着部１３，２３を互いに接近させた継ぎ状態となるように移動させる。この移動により、粘着テープＴの突出部Ｔａに第１吸着部１３の第１ウエブＷ１の後端部Ｗｂ付近が接近する。
【００３４】
その後、モータＭを逆回転させることにより、第２吸着部２３を反時計回りに回転させると、第１吸着部１３側の前記第１クラッチ１４（図１）が空転すると共に、第２吸着部２３の回転により、粘着テープＴおよび第１ウエブＷ１を介して、図２（ｄ）のように、第１吸着部１３が該第２吸着部２３に同期して回転される。この回転により、図２（ｄ）および図３（ａ）のように、第１ウエブＷ１の後端部Ｗｂが前記粘着テープＴの突出部Ｔａに重ね合わされて該第１ウエブＷ１が粘着テープＴに貼り付けられる。
なお、この際、アキュームレータ４の上流のウエブＷには若干の弛みが生じてもよい。
【００３５】
その後、前記吸引孔１３ａ，２３ａからの吸引を停止させると共に、図３（ｂ）に示すように、前記移動装置３０（図１）によって、両吸着部１３，２３同士を互いに離間した定常状態に移動させて復帰させる。
こうして、図３（ｃ）のウエブＷの継ぎ部分の拡大側面図に示すように、粘着テープＴを介して、ウエブ同士の重なり代がない状態で、第１ウエブＷ１の後端部Ｗｂに第２ウエブＷ２の先端部Ｗｆが継がれる。
【００３６】
前記復帰後、図４の第２クラッチ２４の接続を解除して第２吸着部２３を空転可能にした後、モータＭを停止させる。
その後、ニップロール４５を開くと、ウエブＷがアキュームレータ４に供給される。こうして、第１原反１０から第２原反２０への継ぎ換えが完了し、第１ウエブＷ１に代えて第２ウエブＷ２を下流に供給することが可能となる。
【００３７】
一方、図４に示す第２ウエブＷ２に第１ウエブＷ１を継ぐ場合には、以下のようにウエブＷの継ぎが行われる。
第１ウエブＷ１の粘着テープＴへの貼着工程および第１ウエブＷ１の保持工程の後に、前記ニップロール４５により、第２ウエブＷ２の供給を停止した後、第２ウエブＷ２の前記切断工程、第２ウエブＷ２の保持工程を経た後に、吸着部１３，２３を互いに接近させる。第１吸着部１３の回転により、粘着テープＴおよび第１ウエブＷ１が下流に送られ、第２ウエブＷ２の後端部Ｗｂが粘着テープＴの突出部Ｔａに重ね合わされ、ウエブＷ１，Ｗ２同士が接合される。
【００３８】
なお、前記実施形態では、両吸着部１３，２３を互いに移動させることにより、前記状態の遷移を行うようにしたが、何れか一方のみを移動させるようにしてもよい。
【００３９】
また、粘着テープは両面粘着テープであってもよい。かかる場合には、図５（ａ）に示すように、一方のウエブＷ２の先端部Ｗｆに両面粘着テープＴ２を貼り付けた後、該一方のウエブＷ２の先端部Ｗｆを介して粘着テープＴ２を第２吸着部２３に吸着させる。この場合、図５（ｂ）に示すように、粘着テープＴ２の両粘着面に、それぞれウエブＷ１，Ｗ２を貼着して、ウエブＷを継ぐことができる。
【００４０】
さらに、前記実施形態では、吸着部１３，２３を接近させた後に回転させることにより、ウエブＷの継ぎを行うようにしたが、図６に示すように、両吸着部１３Ａ，２３Ａを圧接させることにより、ウエブＷ１，Ｗ２の継ぎを行ってもよい。たとえば、図６（ａ）の一方の第２吸着部２３Ａに粘着テープＴを吸着した後、図６（ｂ）に示すように、第１吸着部１３Ａを第２吸着部２３Ａに向って水平移動させ、粘着テープＴの突出部Ｔａに第１ウエブＷ１の後端部Ｗｂを接合させた後、第１吸着部１３Ａの第１吸引孔１３ａからエアを吐出させることにより、ウエブＷの継ぎを行ってもよい。
【００４１】
【発明の効果】
以上説明したように、本発明によれば、一方のウエブの先端部と他方のウエブの後端部の双方を吸着保持するので、両者を互いに正確に位置決めした状態で接合することができるから、ウエブ同士の重なり代を極力小さくすることができる。
特に、ウエブの後端部と先端部とが互いに重ならないようにこれらを粘着テープの一方の面に接合することで、ウエブ同士の重なり代を無くすることができる。
【図面の簡単な説明】
【図１】本発明の一実施形態にかかるウエブの継ぎシステムを示す概略側面レイアウト図である。
【図２】同ウエブの継ぎ方法を示す工程図である。
【図３】（ａ），（ｂ）はウエブの継ぎ方法を示す工程図、（ｃ）はウエブの継ぎ部分を示す側面図である。
【図４】同ウエブの継ぎシステムを示す概略側面図である。
【図５】変形例にかかるウエブおよびウエブの継ぎ方法を示す概略側面図である。
【図６】変形例にかかるウエブの継ぎ装置を示す概略側面図である。
【図７】従来の継ぎ装置によって継がれたウエブを示す側面図である。
【符号の説明】
１：第１供給装置
２：第２供給装置
３：継ぎ装置
４：アキュームレータ
１０：第１原反
１２：第１カッタ
１３：第１吸着部
２０：第２原反
２２：第２カッタ
２３：第２吸着部
３０：移動装置
３５：制御手段
Ｔ，Ｔ２：粘着テープ
Ｗ：ウエブ
Ｗ１：第１ウエブ
Ｗ２：第２ウエブ
Ｗｂ：後端部
Ｗｆ：先端部
【図１】
2004076221.tif 000003
【図２】
2004076221.tif 000004
【図３】
2004076221.tif 000005
【図４】
2004076221.tif 000006
【図５】
2004076221.tif 000007
【図６】
2004076221.tif 000008
【図７】
2004076221.tif 000009